(57)【特許請求の範囲】
【請求項１】
デジタルの音楽データが記憶されるカードメディアに対応したカードスロットと、前記カードメディアが排出されてから装着されるまでの経過時間に対応する再生制御が定められ、前記カードメディアを認識していないアンマウント状態において、前記カードメディアが前記カードスロットに装着されたことを検知すると、前記アンマウント状態から前記カードメディアを認識しているマウント状態に状態遷移し、前記マウント状態において前記カードメディアに記憶されている音楽データを再生している時に、前記カードメディアが前記カードスロットから排出されたことを検知すると、前記アンマウント状態に状態遷移することなく、音楽データの再生を一時停止すると共に前記経過時間を計測開始し、前記アンマウント状態へ状態遷移させる第１の設定時間に前記経過時間が達しても前記カードメディアが前記カードスロットに装着されない場合、再生している音楽データの再生を完全停止してから、前記マウント状態から前記アンマウント状態へ状態遷移し、前記第１の設定時間に前記経過時間が達する前に、前記カードメディアが前記カードスロットに装着されたことを検知すると、この時の前記経過時間に対応する再生制御を実施する再生制御手段とを備え、
前記再生制御手段は、前記経過時間に対応する再生制御として、前記経過時間がスクラッチ再生する第２の設定時間内の場合は、スクラッチ再生を実施してから音楽データの再生を再開し、前記経過時間が前記第２の設定時間を超えてから前記第１の設定時間を超えるまでの間に前記カードメディアが前記カードスロットに装着されると、スクラッチ再生を実施することなく音楽データの再生を再開する、
ことを特徴とする音楽再生装置。
【請求項２】
前記音楽再生装置にはプッシュ−プッシュ式のカードスロットが備えられていることを特徴とする請求項１に記載の音楽再生装置。
【請求項３】
デジタルの音楽データを記憶されるカードメディアに対応したカードスロットを備えた音楽再生装置で実行される音楽再生方法であって、前記音楽再生装置が、前記カードメディアを認識していないアンマウント状態において、前記カードメディアが前記カードスロットに装着されたことを検知すると、前記アンマウント状態から前記カードメディアを認識しているマウント状態に状態遷移する過程ａと、前記音楽再生装置が、前記マウント状態において前記カードメディアに記憶されている音楽データを再生している時に、前記カードメディアが前記カードスロットから排出されたことを検知すると、音楽データの再生を一時停止すると共に、前記カードメディアが前記カードスロットから排出されてから装着されるまでの経過時間を計測開始する過程ｂと、前記音楽再生装置が、前記アンマウント状態へ状態遷移させる第１の設定時間に前記経過時間が達する前に、前記カードメディアが前記カードスロットに装着されたことを検知すると、この時の前記経過時間に対応する再生制御を実施する過程ｃと、前記音楽再生装置が、前記第１の設定時間に前記経過時間が達しても前記カードメディアが前記カードスロットに装着されない場合、音楽データの再生を完全停止してから、前記マウント状態から前記アンマウント状態に状態遷移する過程ｄとを含み、
前記過程ｃにおいて、前記音楽再生装置は、前記経過時間に対応する再生制御として、前記経過時間がスクラッチ再生する第２の設定時間内の場合は、スクラッチ再生を実施してから音楽データの再生を再開し、前記経過時間が前記第２の設定時間を超えてから前記第１の設定時間を超えるまでの間に前記カードメディアが前記カードスロットに装着されると、スクラッチ再生を実施することなく音楽データの再生を再開する、
ことを特徴とする音楽再生方法。
【発明の詳細な説明】
【技術分野】
【０００１】
本発明は、デジタルの音楽データを再生する技術に関し、更に詳しくは、デジタルの音楽データが記憶されるメディアを操作することで再生制御できるようにした発明である。
【背景技術】
【０００２】
デジタルの音楽データを半導体メモリに記憶し、ユーザが携帯して利用するポータブル型の音楽再生装置が若者を中心として普及し、ポータブル型の音楽再生装置が普及している若者の間で根強い人気のあるＤＪ機器の機能をポータブル型の音楽再生装置に持たせたい要求がある。
【０００３】
図５は、表面の微細な凹凸によるアナログの音楽データが記憶されるレコード盤を取り扱うＤＪ機器を説明する図である。レコード盤を取り扱うＤＪ機器３には、駆動モータと連結しレコード盤を回転させるターンテーブル部３０、レコード針を含むカートリッジを支えるトーンアーム部３１、ピッチを変更するためのスライダ３２などが備えられ、音楽が記憶されているメディアであるレコード盤を操作することで、同一箇所を反復再生するスクラッチ、音楽の再生の一時停止等の再生制御が可能である。
【０００４】
デジタルの音楽データを取り扱う機器であっても再生制御できる発明も既に発案され、例えば、特許文献１では、コンパクトディスクを取り扱えるようにしたＤＪ機器が開示され、更に、特許文献２では、ゲームセンタに設定するゲーム用のＤＪ機器が開示されている。また、図５を用いて説明したＤＪ機器をデジタルの音楽データに対応させた商品も既に市販されている。
【先行技術文献】
【特許文献】
【０００５】
【特許文献１】特開２００２−３４１９５５号公報
【特許文献２】特許第３３３０５７３号公報
【発明の概要】
【発明が解決しようとする課題】
【０００６】
しかしながら、上述した発明は、デジタル式のターンテーブルや様々なボタンなどのヒューマンインターフェースを利用した操作により、デジタルの音楽データの再生制御を行う発明で、レコード盤のように、デジタルの音楽データが記憶されるメディアの操作により再生制御を行うための発明ではなかった。
【０００７】
実際、ポータブル型の音楽再生装置では、デジタルの音楽データを記憶するメモリを内部に実装させて外部記憶メディアを利用しない形態以外に、デジタルの音楽データを記憶するメモリが実装されたＳＤカードなどのカードメディアを装着／排出する機構として、プッシュ−プッシュ式のカードスロットを備え、該カードメディアを外部記憶メディアとして利用する形態もあり、このような形態のポータブル型の音楽再生装置では、音楽データが記憶されるカードメディアの操作により再生制御を行うことも考えられる。
【０００８】
そこで、本発明は、プッシュ−プッシュ式のカードスロットを備え、ＳＤカードなどのカードメディアを利用する音楽再生装置において、音楽データが記憶されるカードメディアの操作により、スクラッチや一時停止などの再生制御を行うことができる音楽再生装置を提供することを目的とする。
【課題を解決するための手段】
【０００９】
上述した課題を解決する第１の発明は、デジタルの音楽データが記憶されるカードメディアに対応したカードスロットを備えた音楽再生装置で、第１の発明に係る音楽再生装置には、音楽データが記憶されるカードメディアの操作により、スクラッチや一時停止などの再生制御を行うことができるように、デジタルの音楽データが記憶されるカードメディアに対応したカードスロットと、前記カードメディアが排出されてから装着されるまでの経過時間に対応する再生制御が定められた再生制御手段を備える。前記再生制御手段は、前記カードメディアを認識していないアンマウント状態において、前記カードメディアが前記カードスロットに装着されたことを検知すると、前記アンマウント状態から前記カードメディアを認識しているマウント状態に状態遷移し、前記マウント状態において前記カードメディアに記憶されている音楽データを再生している時に、前記カードメディアが前記カードスロットから排出されたことを検知すると、前記アンマウント状態に状態遷移することなく、音楽データの再生を一時停止すると共に前記経過時間を計測開始し、前記カードメディアが前記カードスロットから排出されてから装着されない時間が比較的長いときは、前記マウント状態から前記アンマウント状態へ状態遷移するように、前記アンマウント状態へ状態遷移させる第１の設定時間に前記経過時間が達しても前記カードメディアが前記カードスロットに装着されない場合、再生している音楽データの再生を完全停止してから、前記マウント状態から前記アンマウント状態へ状態遷移する。また、前記再生制御手段は、前記第１の設定時間に前記経過時間が達する前に、前記カードメディアが前記カードスロットに装着されたことを検知すると、この時の前記経過時間に対応する再生制御を実施し、前記カードメディアの操作によりスクラッチ再生や一時停止が行えるように、前記再生制御手段は、前記経過時間に対応する再生制御として、前記経過時間がスクラッチ再生する第２の設定時間内の場合は、スクラッチ再生を実施してから音楽データの再生を再開し、前記経過時間が前記第２の設定時間を超えてから前記第１の設定時間を超えるまでの間に前記カードメディアが前記カードスロットに装着されると、スクラッチ再生を実施することなく音楽データの再生を再開する。
【００１２】
第２の発明は、第１の発明に係る音楽再生装置において、プッシュ−プッシュ式のカードスロットを備えることを特徴とする。
【００１３】
更に、第３の発明は、デジタルの音楽データを記憶されるカードメディアに対応したカードスロットを備えた音楽再生装置で実行される音楽再生方法に係る発明で、第３の発明に係る音楽再生方法は、前記音楽再生装置が、前記カードメディアを認識していないアンマウント状態において、前記カードメディアが前記カードスロットに装着されたことを検知すると、前記アンマウント状態から前記カードメディアを認識しているマウント状態に状態遷移する過程ａと、前記音楽再生装置が、前記マウント状態において前記カードメディアに記憶されている音楽データを再生している時に、前記カードメディアが前記カードスロットから排出されたことを検知すると、音楽データの再生を一時停止すると共に、前記カードメディアが前記カードスロットから排出されてから装着されるまでの経過時間を計測開始する過程ｂと、前記音楽再生装置が、前記アンマウント状態へ状態遷移させる第１の設定時間に前記経過時間が達する前に、前記カードメディアが前記カードスロットに装着されたことを検知すると、この時の前記経過時間に対応する再生制御を実施する過程ｃと、前記音楽再生装置が、前記第１の設定時間に前記経過時間が達しても前記カードメディアが前記カードスロットに装着されない場合、音楽データの再生を完全停止してから、前記マウント状態から前記アンマウント状態に状態遷移する過程ｄとを含み、前記過程ｃにおいて、前記音楽再生装置は、前記経過時間に対応する再生制御として、前記経過時間がスクラッチ再生する第２の設定時間内の場合は、スクラッチ再生を実施してから音楽データの再生を再開し、前記経過時間が前記第２の設定時間を超えてから前記第１の設定時間を超えるまでの間に前記カードメディアが前記カードスロットに装着されると、スクラッチ再生を実施することなく音楽データの再生を再開することを特徴とする。
【発明の効果】
【００１５】
カードスロットを備えるカードメディアを利用する一般的な音楽再生装置において、マウント状態においてカードメディアに記憶されている音楽データを再生している時に、カードメディアがカードスロットから排出された時点でアンマウント状態に状態遷移するが、上述した発明によれば、マウント状態においてカードメディアに記憶されている音楽データを再生している時に、カードメディアがカードスロットから排出されても、この時点でアンマウント状態に状態遷移しないため、音楽データが記憶されるカードメディアの操作により再生制御を行うことができるようになる。
【００１６】
また、カードメディアがカードスロットから排出されてからのカードメディアの操作は、必ず、カードメディアをカードスロットに装着する操作になるため、カードメディアがカードスロットから排出されてから装着されるまでの経過時間を計測し、経過時間に対応する再生制御を実行することで、カードメディアがカードスロットから排出した後に装着するタイミングで実行する再生制御を変更することが可能になる。
【図面の簡単な説明】
【００１７】
【図１】本実施形態に係るポータブル型の音楽再生装置の外観を説明する図。
【図２】本実施形態の音楽再生装置のハードウェアを説明する図。
【図３】音楽再生装置の状態と状態遷移を説明する図。
【図４】音楽再生装置の再生制御手段が実行する手順を説明する図。
【図５】レコード盤を取り扱うＤＪ機器を説明する図。
【発明を実施するための形態】
【００１８】
ここから，添付する図面を参照しながら、本発明の技術分野に係わる当業者が発明を実施できる程度に、本発明の実施形態について説明する。
【００１９】
図１は、本実施形態に係るポータブル型の音楽再生装置１の外観を説明する図である。本実施形態の音楽再生装置１は、デジタルの音楽データが記憶されるＳＤカードなどのカードメディア２を装着・排出する機構として、プッシュ−プッシュ式のカードスロット１ｊを備え、カードメディア２を装着・排出する操作により再生制御を行えるようにしたことを特徴としている。なお、図１では、本実施形態の音楽再生装置１を携帯電話としているが、携帯電話以外の形態としては、音楽再生専用機やスマートフォンの形態が想定できる。また、カードスロットの装着・排出機構として、プッシュ−プッシュ式のみではなく、他の方式のものでも良く、手動で装着・排出を行うカードスロットでも良い。プッシュ−プッシュ式を適用すると、カードメディア２の装着・排出の操作性が良くなる。
【００２０】
図２は、本実施形態の音楽再生装置１のハードウェアを説明する図である。本実施形態の音楽再生装置１は、図２で図示したように、ハードウェアとして、ＣＰＵ、ＲＡＭ、ＲＯＭなどが実装されたプロセッサ１ａを備え、このプロセッサ１ａには、無線を受信するアンテナ１ｃが接続された無線通信回路１ｂと、メモリ１ｄ、時計回路１ｅ、液晶などのディスプレイ１ｆ、操作キー１ｇ、イヤフォン・マイク１ｈ、特定の方式（例えば、ＭＰ３）に準拠した音楽データのエンコードとデコードを行う機能を有するオーディオコーデック１ｉ、プッシュ−プッシュ式のカードスロット１ｊ及びバッテリ１ｋが接続されている。
【００２１】
プッシュ−プッシュ式のカードスロット１ｊには、音楽再生装置１の外部記憶装置となるカードメディア２が装着され、このカードメディア２には、音楽再生装置１が再生する音楽データを記憶するメモリ２０と、音楽再生装置１のカードスロット１ｊとのＩ／Ｆ（IF: InterFace）になるカードＩ／Ｆ２１を有している。
【００２２】
また、本実施形態の音楽再生装置１には、プロセッサ１ａを動作させるコンピュータプログラムを用いて実現される機能として、オーディオコーデック１ｉなどを利用し、プッシュ−プッシュ式のカードスロット１ｊに装着されたカードメディア２のメモリ２０に記憶された音楽データの再生を再生制御する再生制御手段１０を備えている。
【００２３】
図３は、音楽再生装置１の状態と状態遷移を説明する図である。音楽再生装置１は、音楽再生装置１の状態として、音楽再生装置１側でカードメディア２を認識しているマウント状態と、音楽再生装置１０側でカードメディア２を認識していないアンマウント状態の２つの状態を持ち、マウント状態においては、カードメディア２のメモリ２０に記憶されている音楽データを再生可とし、アンマウント状態においては、カードメディア２のメモリに記憶されている音楽データを再生不可としている。
【００２４】
マウント状態とアンマウント状態の状態遷移には、カードスロットから得られるカードメディア２の検知信号が利用され、この検知信号は、カードメディア２がカードスロット１ｊに装着されるとＯＮになり、カードメディア２がカードスロット１ｊから排出されるとＯＦＦになる。
【００２５】
図３に図示したように、音楽再生装置１の状態がアンマウント状態にある時に、カードスロット１ｊの検知信号がＯＮになると、音楽再生装置１の状態はマウント状態に状態遷移する（図３のＡ）。また、音楽再生装置１の状態がマウント状態にある時、カードスロット１の検知信号がＯＦＦになった後にＯＮになると、カードスロット１ｊの検知信号がＯＦＦになってからＯＮになるまでの経過時間に対応した再生制御が実施され、音楽再生装置１の状態はマウント状態に維持される（図３のＢ）。なお、カードスロット１の検知信号がＯＦＦになった後に第１の設定時間（例えば、１０分）が経過してもＯＮにならない場合、音楽再生装置１の状態はアンマウント状態に状態遷移する（図３のＣ）。
【００２６】
カードスロット１ｊの検知信号がＯＦＦになってからＯＮになるまでの経過時間に対応した再生制御は任意に設定可能であるが、カードスロット１ｊの検知信号がＯＦＦになってからの経過時間が第２の設定時間（例えば、１秒）に達するまでに検知信号がＯＮになるとスクラッチ再生をしてから、一時停止した音楽データの再生を再開するようにし、カードスロット１ｊの検知信号がＯＦＦになってからの経過時間が第２の設定時間を超えて第１の設定時間に達する前にＯＮになると、スクラッチ再生することなく、一時停止した音楽データの再生を再開するようにしている。また、ここでいう「スクラッチ再生」とは、ある一定時間（例えば１秒間）における同一箇所を反復再生することを言う。
【００２７】
なお、カードメディア２のメモリ２０に記憶された音楽データを再生する方式としては、カードメディア２のメモリ２０から音楽データを逐次読み出しを行いながら再生する方式と、カードメディア２のメモリ２０に記憶されている音楽データを全て読み出して音楽再生装置１のメモリ１ｄに保持し、音楽再生装置１のメモリ１ｄに保持した音楽データを再生する方式があるが、本実施形態では、いずれの方式をも選択できる。なお、前者の方式を採用する場合、音楽データの再生中にカードメディア２が排出されるため、音楽再生装置１及びカードメディア２双方に、アンチテアリング（メディア引き抜き時のメモリ保護機能）を備えておくことが必要になる。
【００２８】
図４は、音楽再生装置１の再生制御手段１０が実行する手順を説明する図である。
【００２９】
音楽再生装置１の再生制御手段１０は起動すると、音楽再生装置１の状態をアンマウント状態にした後、プッシュ−プッシュ式のカードスロット１ｊにカードメディア２が装着されるまで待機する（Ｓ１）し、カードスロット１ｊの検知信号がＯＮになると、再生制御手段１０は、カードスロット１ｊに取り付けられたカードメディア２を認識する動作を行い、音楽再生装置１の状態をアンマウント状態からマウント状態に状態遷移させる（Ｓ２）。
【００３０】
音楽再生装置１の再生制御手段１０は、音楽再生装置１の状態をマウント状態に状態遷移させると、カードスロット１ｊに装着されたカードメディア２のメモリ２０に記憶された音楽データを読み取り、読み取った音楽データを音楽再生装置１のメモリ１ｄに取り込む処理を実施する（Ｓ３）。
【００３１】
音楽再生装置１の再生制御手段１０は、カードスロット１ｊに装着されたカードメディア２から読み取った音楽データをメモリ１ｄに取り込むと、該カードメディア２から読み取った音楽データに含まれる音楽の一覧をディスプレイ１ｆに表示するなどして、該カードメディア２から読みと取った音楽データの再生をスタンバイ状態にする（Ｓ４）。
【００３２】
カードメディア２から読みと取った音楽データの再生をスタンバイ状態にした後、音楽再生装置１の操作キー１ｇが操作されるなどして、再生する音楽データが指定されると、音楽再生装置１の再生制御手段１０は、オーディオコーデック１ｉを利用して指定された音楽データを再生する（Ｓ５）。
【００３３】
音楽データを再生している間に、カードスロット１ｊの検知信号がＯＦＦになると、音楽再生装置１の再生制御手段１０は、この時の再生位置を記憶してから音楽データの再生を一時停止にした後（Ｓ６）、時計回路１ｅを用いて、カードスロット１ｊの検知信号がＯＦＦになってからの経過時間を計測する（Ｓ７）。
【００３４】
音楽再生装置１の再生制御手段１０は、カードスロット１ｊの検知信号がＯＦＦになってからの経過時間が第１の設定時間を超えてもＯＮにならない場合、音楽再生装置1の再生制御手段１０は、記憶している再生位置を消去して、音楽データの再生を完全停止した後（Ｓ９）、カードスロット１ｊに取り付けられたカードメディア２の認識を解除する動作を行い、音楽再生装置１の状態をマウント状態からアンマウント状態に状態遷移させて（Ｓ１０）、この手順は終了する。
【００３５】
また、本実施形態では、カードスロット１ｊの検知信号がＯＦＦになってからＯＮになるまでの経過時間が第２の設定時間内の場合、音楽再生装置１の再生制御手段１０は、記憶している再生位置を基準としてスクラッチ再生を１回行った後（Ｓ８）、この手順のＳ５へ処理を戻し、記憶している再生位置から音楽データの再生を再開する。
【００３６】
更に、カードスロット１ｊの検知信号がＯＦＦになってからＯＮになるまでの経過時間が第２の設定時間を超え第１の設定時間内であれば、音楽再生装置１の再生制御手段１０は、スクラッチ再生することなく、この手順のＳ５へ処理を戻し、記憶している再生位置から音楽データの再生を再開する。
【符号の説明】
【００３７】
１    音楽再生装置
１０  再生制御手段
１ｊ   カードスロット
１ｄ  音楽再生装置のメモリ
２    カードメディア
２０  カードメディアのメモリ
【図１】
0005786508.tif 000002
【図２】
0005786508.tif 000003
【図３】
0005786508.tif 000004
【図４】
0005786508.tif 000005
【図５】
0005786508.tif 000006